(57)【特許請求の範囲】
【請求項１】
帽子本体と、冷感を得るための保冷材を設けた日除けカバー部と、帽子本体と日除けカバー部を分離可能とするとともに、１点が回転可能な軸を備えた接続部を有し、帽子本体と日除けカバー部を接続部の軸で一体に接続時、日除けカバーを回転させて日除けカバーの裏面が人頭の表面に対面し、保冷材で人の上頭部を冷やす様に帽子本体の内側に収納出来、また、後頭部及び後首筋を日射防止、冷却出来るように帽子本体の後頭部及び後ろ首筋側外部で、かつ、日除けカバーの裏面が人の後頭部及び後ろ首筋の表面側に対面するように、帽子本体内側から出すことが出来ることを特徴とする日除けカバー付き帽子
【請求項２】
保冷材としてポリアクリル酸ナトリウム塩を主成分とする繊維形状化した吸水繊維を用いたことを特徴とする請求項１記載の日除けカバー付き帽子。
【発明の詳細な説明】
【０００１】
【発明の属する技術分野】
人の後頭部、後ろ首筋を炎天下等での直射日射や太陽熱から守るための日除けカバー付き帽子の日除けカバー部を使わない時に簡易に帽子本体内側に収納する構造と、保冷材料を内蔵、着用者の頭部、後ろ首筋を長時間ヒンヤリ涼しく保つことを目的としている。
また、同じく保冷材を用いたヘヤーバンドと日除けカバーを一体としたずきんを示し、同じく着用者の頭部、後ろ首筋を長時間ヒンヤリ涼しく保つことを目的としている。
【０００２】
【従来の技術】
従来、真夏の屋外活動者は、真夏の直射日光による後頭部の熱さ、後ろ首筋の日焼けから守るため，帽子と頭の間に濡れたタオル等をはさんでいることがあった．濡れたタオルは直ぐ乾き、タオルは風に吹かれ、位置がずれやすい等不具合が有った。また、実願昭６１−１５６５４５「頭部を冷やす帽子」では高吸水性樹脂を単純に帽子に組み込み帽子ごと水に浸し、保水させることにより帽子で頭部を冷やすものはあった。これだと帽子の着用者の後頭部や後首筋を冷やしたり、直射日光から守ことは出来なかった。また、帽子本体が濡れる為、それを被ると人の感覚の敏感な頭の前頭部と顔全面上部等に余分な水分が皮膚に触れ、大変不快なものであった。
【０００３】
【発明が解決しようとする課題】
イ，日射がなく、日除けカバー部を使う必要が無く、帽子本体に日除けカバーを収納する時日除けカバーの意匠面の表面が人の頭の髪に触れて汚れない様に収納時にも日除けカバーの裏面が人の頭の髪に接触する面にする構造を簡易に得る。
ロ，日除けカバー部に保冷材を設け、人の後頭部と後首筋を日射から守りかつ冷感をもたらし、さらに、帽子本体内側に日除けカバーを収納時には前記保冷材により人の上頭部に同じく冷感をもたらすことを得る。
ハ、ヘアーバンドと日除けカバーに保冷材を設け２重に人の後頭部と後首筋を日射から守りかつ冷感をもたらすことえ得る。
【０００４】
【問題を解決するための手段】
布等の材料で出来た帽子本体と日除けカバー部は一部叉は全部が着脱可能とし、それらの接続部の少なくとも１点が回転可能な軸を持ち、日除けカバーの表裏のどちらか一方の面、例えば裏面等被る人頭の表面に対し同一面になるように回転して帽子本体の中に収納したり、出したり出来る手段を有する。また、日除けカバー部に吸水繊維等の水を浸透保水させ気化熱を利用して保冷する等の保冷材を設け、日除けカバーを帽子本体に収納時は人の頭の上頭部を、帽子本体から出し、日除けとして使用時は人の後頭部と後首筋を冷感させることが出来る手段を示す。
また、人の後頭部と後首筋を日射から守りかつ冷感をもたらすことえ得るためにヘーバンドと日除けカバーに保冷材２重にを設ける構造を示す。
【０００５】
【発明の実施の形態】
本発明の第１の形態の実施例について述べる。
第１図は本発明の１実施例を示す日除けカバー部１を使用時の日除けカバー付き帽子の断面図。第１図において、日除けカバー部１は帽子本体２にこれらを接続する止め軸３と日除けカバー部１の両端側の片方端に取り付けられた着脱自在の面ファスナー雄４を帽子本体の内側周囲に取り付けられた面ファスナー雌５に接着することにより保持されるよう構成されている。第２図は前記日除けカバー部１を帽子本体２の内部に収納した状態を示す断面図。前記日除けカバー部１が前記止め軸３を中心に回転し帽子本体２の中に収納された状態を示している。この時は日除けカバー部１の両端側のもう一方の端に取り付けられた着脱自在の面ファスナー雄７が帽子本体の内側周囲に取り付けられた面ファスナー雌５に接着することにより日除けカバー１は帽子本体内に固定して保持される。日除けカバー部１に組み込まれた例えばポリアクリル酸ナトリウム塩を主成分とするポリマーを繊維形状化した吸水繊維等を水に浸透させ保水し、気化熱をもって冷感を得るものを保冷材６とし、面状に組み見込むと第１図の日除けカバーとして使用時の状態では、人の後頭部と後首筋を冷感させ、第２図の状態では人の上頭部を同じく冷感させる等、人の頭の場所を変えて涼しく感じさせることができる。保冷材６は日除けカバー部１を布等で２重構造にし、その一部に面状に縫い付ける、叉は、ポケット等を作り入れられる等して日除けカバー部１に組み込まれる。８は帽子本体２のつば部を示す。
【０００６】
第３図（ａ），（ｂ），（ｃ）は本発明の日除けカバー付き帽子の作用及び使い方を示す図。（ａ），（ｂ）．（ｃ）共帽子本体２と日除けカバー部１を裏面から見ている図である。（ａ）において、帽子本体２に日除けカバー部１は軸３と日除けカバーの両端側の片方端に取り付けられた着脱自在の面ファスナー雄４ともう一方の端に取り付けられた面ファスナー雄７を帽子本体２内部の周囲に取り付けられた着脱自在の布テープ等の面ファスナー雌５、５’により接続されている。この日除けカバー部１を帽子本体２の内部に収納させる時、（ｂ）に示す様にそれぞれ面ファスナー雄４、７を面ファスナー雌５、５’から剥離し、日除けカバー部１を軸３を中心に例えば矢印９の方向に回転させる。（ｃ）に示す様に例えば１８０度回転さし、日除けカバー部１を帽子本体２の内側に収納し、それぞれ面ファスナー雄７、４を面ファスナー雌５、５’にそれぞれ入れ替えた位置で接着し固定できる。これにより、日除けカバー部１は（ａ）の使用時の状態でも、（ｃ）の収納時の状態でも同じく日除けカバーの裏面を人の頭の表面に当たる様に出来る。一般に日除けカバー部１そのまま帽子本体に折り込んで収納すると、日除けカバー部１の表面が人の頭の表面に接する様になり髪毛の油等で汚れが目立つ不便があったが、本発明はこれを解消できる。
【０００７】
第４図は本発明を帽子本体に全周につば８を有するハット型帽子での実施例を示す断面図である。図中同一番号は前記と同一なものを示す。４１はその帽子を被っている人の顔を示し、後頭部と後首筋部４２の近傍に位置した日除けカバー部１に組み込まれた保冷材６が人の運動神経を司る後頭部と後首筋４２に日射の日除けと涼しい冷える感覚をもたらす事を示している。
【０００８】
また、第５図は軸３の帽子本体２と日除けカバー部１が着脱可能であり且つ回転可能な軸の断面構造を示す図である。図に示す様に日除けカバー部に取り付けた雄軸３１と帽子本体に取り付けた雌軸３２が着脱可能な止めピンを構成するようにすることにより、帽子本体２と日除けカバー部１を本発明に加えて着脱可能とするものである。また、この雄、雌の軸３１、３２を面ファスナーの雄、雌としても本発明の同様な効果を得る事ができる。
【０００９】
次に本発明の第２の形態の実施例について述べる。
第６図は本発明の日除けカバー付きずきんの実施例のを示す図。伸縮自在のヘアーバンドの前部６１が取り付け部６２で日除けカバー６３に例えば縫い付け等より取り付けられている。ヘアーバンドの後頭部６４には例えばポリアクリル酸ナトリウム塩を主成分とするポリマーを繊維形状化した吸水繊維等を水に浸透させ保水し、気化熱をもって冷感を得るための保冷材６５を組み込み、また、日除けカバー部６３の後頭部と後首筋を覆う位置にも前記同様の保冷材６６を組み込んでいる。６７は人の頭、６８は人の後ろ首筋を示す。
【００１０】
第７図は本発明の日除けカバー付きずきんを着用時、後から見た図である。ヘアーバンド６４に組み込まれた保冷材６５が人の後頭部を、日除けカバー６３に組み込まれた保冷材６６が人の後ろ首筋を覆う様に一体に構成されている。
第８図は本発明の日除けカバー付きずきんを帽子の上から着用している状態を示す図。ヘアーバンドの前部６１を帽子のつば８１の上にし、帽子本体８２を押さえ、ヘアーバンドの後頭部６４が人の後頭部を被い、引っ掛かりをもって人の頭にしっかり固定する事ができる。強い風が吹いても帽子本体８２、日除けカバー６３も人の頭から離れず、吹き飛ばない様に使用でき、且つ、後頭部が冷える様に構成されていることが分かる。
【００１１】
【発明の効果】
次に本発明の第１の形態の効果について述べる。
本発明の日除けカバー付き帽子を着用使用することによって、例えば真夏の炎天下でサッカ−スタジアムや野球球場スタンドでのスポ−ツの観戦応援時、アミューズメントパークで遊園時、人の後頭部から後ろ首筋に直射日光の当たるのを防ぎ、さらに、帽子本体を濡らさずに日除けカバー部１のみを水に濡らした後着用すると、前記吸水繊維等の保冷材６が水分を多量に保持しているので、長時間、直射日光等が当たっている間の熱で気化熱が発生し、周囲から熱を奪う事によって、着用部を低温に、ヒンヤリ涼しくさせる事が出来き、長時間でも快適に前記観戦応援出来る効果がある。さらに、日除けカバー部１を帽子本体２の内部に収納すると今度は人の上頭部に前記保冷材６が位置し、そこを冷やす事ができる。さらに、本発明では、日除けカバー部１を日除けカバーとして使用時も、また、帽子本体２に収納時も人の頭の表面に日除けカバーの裏面を接しさせるので、日除けカバーの意匠面の表面を人の頭髪の油等で汚すことが無い効果がある。さらに、軸３を着脱可能な止めピン構造等着脱可能な物にして、日除けカバー部１を取り外し可能とできる効果もある。
【００１２】
次に本発明の第２の形態の効果について述べる。
ヘアーバンドと日除けカバーに保冷材を設けたので２重に人の後頭部と後首筋を日射から守りかつ冷感をもたらすことえ得る。また、本発明帽子上から被ると帽子本体押さえ、ヘアーバンドの後頭部が人の後頭部を被い、その挟み込みで人の頭にしっかり固定する事ができる。よって、炎天下でのトライアスロン等激し動きをするスポーツや、海辺の釣り等で、強い風が吹いても帽子本体も日除けカバーも人の頭から離れず、吹き飛ばない様に使用でき、且つ、運動神経を司る後頭部と後ろ首筋にヒンヤリ冷感をもたらし、病理学的にも炎天下での運動能力の持続や日射病予防等に多大な効果がある。
【００１３】
【図面の簡単な説明】
【第１図】  本発明の１実施例を示す日除けカバー部を使用時の日除けカバー付き帽子の断面図
【第２図】  日除けカバー部１を帽子本体２の内部に収納した状態を示す断面図
【第３図】  第３図（ａ），（ｂ），（ｃ）は本発明の日除けカバー付き帽子の作用及び使い方を示す図で、（ａ）は日除けカバーを日除けとして使用する時の裏から見た図  （ｂ）は日除けカバー部１を軸３を中心に例えば矢印９の方向に回転させるている途中の図  （ｃ）は日除けカバー部１を帽子本体２の内側に収納した時の図
【第４図】  本発明を帽子本体に全周につば８を有するハット型帽子での実施例を示す断面図
【第５図】  帽子本体２と日除けカバー部１が着脱可能であり且つ回転可能な軸の断面構造を示す図
【第６図】  本発明の第２の形態の日除けカバー付きずきんの実施例のを示す図。
【第７図】  本発明の第２の形態の日除けカバー付きずきんを着用時後から見た図
【第８図】  本発明の第２の形態の日除けカバー付きずきんを帽子の上から着用している状態を示す図
【符合の説明】
１  日除けカバー部
２  帽子本体
３  止め軸
４  日除けカバーの両端側の片方端に取り付けられた着脱自在の面ファスナー雄
５、５’  面ファスナー雌
６  保冷材
７  日除けカバー部１の両端側のもう一方の端に取り付けられた着脱自在の面ファスナー雄
８  帽子つば部
９  矢印
３１  日除けカバー部に取り付けた雄軸
３２  帽子本体に取り付けた雌軸
４１  帽子を被っている人の顔
４２  後頭部と後首筋部
６１  ヘアーバンドの前部
６２  取り付け部
６３  日除けカバー部
６４  ヘアーバンドの後頭部
６５  ヘアーバンド組み込まれた保冷材
６６  日除けカバーに組み込まれた保冷材
６７  人の頭
６８  人の後ろ首筋
８１  つば
８２  帽子本体
【図１】
0004501092.tif 000002
【図２】
0004501092.tif 000003
【図３（ａ）】
0004501092.tif 000004
【図３（ｂ）】
0004501092.tif 000005
【図３（ｃ）】
0004501092.tif 000006
【図４】
0004501092.tif 000007
【図５】
0004501092.tif 000008
【図６】
0004501092.tif 000009
【図７】
0004501092.tif 000010
【図８】
0004501092.tif 000011